(57)【要約】      （修正有）【課題】現場の作業工数を低減し作業性及び施工効率の向上並びに施工コストの削減が図れ、しかも、非常に見栄えのよい仕上がりを得ることができる目地カバー付き天井工法を提供する。【解決手段】目地カバー５の幅方向両端部分を略Ｔ字形状の天井下地用吊金具１の両側パネル受け部１ａ，１ａの上方へ折返して係合部５ａ，５ａに加工し、その折返し係合部５ａ，５ａと吊金具１の両側パネル受け部１ａ，１ａとの間にクッション性シール材６，６を挟在させて該目地カバー５を吊金具１に対し工場製作の段階で予め一体化し、この吊金具１を施工現場に搬入して吊り下げ施工したのち、吊金具１の両側パネル受け部１ａ，１ａ上のカバー折返し係合部５ａ，５ａ上に天井パネル２，２を載置し固定する。  【選択図】図１
2008025109.tif 000002
【特許請求の範囲】
【請求項１】
略逆Ｔ字形状の天井下地用吊金具の両側パネル受け部にそれぞれ天井パネルを載置し、前記吊金具の下部には当該吊金具の全体を覆う目地カバーを取り付ける目地カバー付き天井工法であって、
前記目地カバーの幅方向両端部分を前記吊金具の両側パネル受け部の上方へ折返して係合部に加工するとともに、その折返し係合部と吊金具の両側パネル受け部との間にクッション性シール材を挟在させて該目地カバーを吊金具に対して工場製作の段階で予め一体化し、この目地カバーを一体化した吊金具を施工現場に搬入して所定箇所に吊り下げ施工したのち、この吊金具の両側パネル受け部上のカバー折返し係合部上にそれぞれ天井パネルを載置し固定することを特徴とする目地カバー付き天井工法。
【請求項２】
前記両天井パネルの対向端部間に形成される目地部を含む接合部には、現場でのウレタン吹き付け発泡により断熱層が形成される請求項１に記載の目地カバー付き天井工法。
【発明の詳細な説明】
【技術分野】
【０００１】
本発明は、天井下地となる略逆Ｔ字形状の吊金具の両側パネル受け部にそれぞれ天井パネルを載置するとともに、両天井パネル間に形成される目地部及び前記吊金具を隠蔽して外観的に見栄えのよい仕上がりを得るために目地カバーを取り付け施工する目地カバー付き天井工法に関する。
【背景技術】
【０００２】
天井工法として、従来は、図３に示すように、所定箇所に吊り下げ施工した吊金具１０の両側パネル受け部１０ａ，１０ａ上にそれぞれ天井パネル１１，１１を載置し、これら天井パネル１１，１１をドリルねじ（ビス）１２，１２で吊金具１０に固定する工法が一般的であり（例えば、非特許文献１参照）、このように現場施工された天井部にさらに目地カバーを取り付けるにあたっては、吊金具１０とは別に準備して施工現場に搬入される目地カバー１３をドリルねじ（ビス）１４，１４により天井パネル１１，１１に捻じ込み固定する手段が採用される。
【０００３】
【非特許文献１】「建築工事工法事典」、１９８９年初版、１９９３年３月３刷、株式会社産業調査会事典出版センター、ｐ．４８７−４８９
【発明の開示】
【発明が解決しようとする課題】
【０００４】
しかし、上記したような従来の目地カバー付き天井工法は、施工現場での工数が多く、かつ、上向き姿勢でのビス捻じ込みなどの作業を要して作業性も施工効率も悪く、それだけ施工コストも上昇する。そのうえ、目地カバーを天井パネルに固定するために用いるビスの頭が見えるために、見栄えのよい仕上がりが得られず、また、例えば食品加工場などの天井に適用した場合、ビスが振動などで次第に緩み遂には落下して食品に混入するといった不具合を招く可能性があった。
【０００５】
本発明は上記のような実情に鑑みてなされたもので、現場での作業工数を低減して作業性及び施工効率の向上が図れるとともに施工コストの削減も図れ、しかも、非常に見栄えのよい仕上がりを得ることができる目地カバー付き天井工法を提供することを目的としている。
【課題を解決するための手段】
【０００６】
上記目的を達成するために、本発明に係る目地カバー付き天井工法は、略逆Ｔ字形状の天井下地用吊金具の両側パネル受け部にそれぞれ天井パネルを載置し、前記吊金具の下部には当該吊金具の全体を覆う目地カバーを取り付ける目地カバー付き天井工法であって、前記目地カバーの幅方向両端部分を前記吊金具の両側パネル受け部の上方へ折返して係合部に加工するとともに、その折返し係合部と吊金具の両側パネル受け部との間にクッション性シール材を挟在させて該目地カバーを吊金具に対して工場製作の段階で予め一体化し、この目地カバーを一体化した吊金具を施工現場に搬入して所定箇所に吊り下げ施工したのち、この吊金具の両側パネル受け部上のカバー折返し係合部上にそれぞれ天井パネルを載置し固定することを特徴としている。
【発明の効果】
【０００７】
上記のような特徴的技術手段を有する本発明によれば、目地カバーが工場製作の段階で予め吊金具に一体化されているので、施工現場での作業工数及び上向き姿勢での作業を削減して省力化することが可能で、作業性及び作業効率の著しい向上が図れ、それゆえに、施工コストの低減も図ることができる。しかも、目地カバーをその幅方向両端部分の折返し加工によって吊金具に係合保持させてビスを一切使用していないために、ビス頭が見えることがないばかりか、ビスの緩み落ちによる食品等への異物混入という不具合もない。加えて、目地カバー両端の折返し係合部と吊金具の両側受け部との間にクッション性シール材が挟在されているので、吊金具や天井パネルなどの製作加工精度に起因して両天井パネル面に不陸が生じたとしても、その不陸をクッション性シール材のクッション作用で吸収して面一の天井面を施工することが可能で、前述のビス頭が見えないことと相俟って、非常に見栄えのよい天井仕上がりを得ることができるという効果を奏する。
【０００８】
さらに、目地部を含む接合部に現場でウレタンの吹き付け発泡により断熱層を形成する場合、前記折返し係合部及びクッション性シール材の存在によって、発泡ウレタンの漏れ出しを防止し、断熱層形成作業の容易化が図れるとともに、ウレタンの漏れ出しによる見栄えの低下も防ぐことができる。
【発明を実施するための最良の形態】
【０００９】
以下、本発明の実施の形態を図面にもとづいて説明する。
図１は本発明に係る天井工法で施工された天井部の仕上がり状態を示す要部の断面図であり、略逆Ｔ字形状の天井下地用吊金具１の両側パネル受け部１ａ，１ａにそれぞれ天井パネル２，２の端部が載置され、これら天井パネル２，２はその上面側で前記吊金具１の垂直片部１ｂに固定されているアングル部材３，３にビス４，４を介して固定される。
【００１０】
前記吊金具１の下面には目地カバー５が取り付けられているが、この目地カバー５は、図２に示すように、工場でその幅方向の両端部分を吊金具１の両側パネル受け部１ａ，１ａの上方へ略Ｖ字形状に折返すことで係合部５ａ，５ａに加工されるとともに、その折返し係合部５ａ，５ａと前記吊金具１の両側パネル受け部１ａ，１ａとの間にクッション性シール材６，６を挟在させることにより、目地カバー５を前記アングル部材３，３と共に吊金具１に対して工場製作の段階で予め一体化している。
【００１１】
この工場製作の段階で目地カバー５及びアングル部材３，３が予め一体化されている吊金具１を施工現場に搬入して割付けされた所定箇所に吊り下げ施工したのち、この吊金具１の両側パネル受け部１ａ，１ａ上の折返し係合部５ａ，５ａ上にそれぞれ天井パネル２，２の端部を載置し、かつ、これら天井パネル２，２を前記アングル部材３，３側から捻じ込まれるドリルねじ（ビス）４，４を介してその上面側で吊金具１に固定するといった組立てノックダウン方式で図１に示したような天井を施工する。
【００１２】
上記のように目地カバー５が工場製作の段階で予め吊金具１に一体化されているので、施工現場での作業工数及び上向き姿勢での作業を削減し、かつ省力化することが可能で、作業効率の著しい向上および施工コストの低減を図ることができる。また、目地カバー５の取り付けにビスを一切使用していないビスレス工法であるために、天井面にビス頭が露出することによる見栄えの悪化がないばかりか、例えば食品加工場の天井に適用した場合、振動などによるビスの緩み落ちによる食品等への異物混入という不具合の発生もない。
【００１３】
さらに、目地カバー５両端の折返し係合部５ａ，５ａと吊金具１の両側パネル受け部１ａ，１ａとの間にクッション性シール材６，６が挟在されているので、吊金具１や天井パネル２などの製作加工精度に起因して両天井パネル２，２に不陸が生じたとしても、その不陸をクッション性シール材６，６のクッション作用で吸収して面一の非常に見栄えのよい天井面を施工することが可能である。
【００１４】
また、例えば住宅建物のように断熱性が要求される建物の天井に適用する場合は、前記天井パネル２，２としてアルミなどの一対の表面材間に硬質ウレタンフォームを挟み保持してなる断熱天井パネルが使用される一方、上述のようにして施工された断熱天井パネル２，２の対向端部間に形成される目地部を含む接合部裏面側で、図１の仮想線で示す領域に現場でウレタンを吹き付け発泡して断熱層７が形成される。この場合、前記目地カバー５の折返し係合部５ａ，５ａ及びクッション性シール材６，６の存在によって、発泡ウレタンの天井面側への漏れ出しを防止することが可能で、断熱層７の形成作業が容易であるとともに、天井面を見栄えよく仕上げることができる。
【００１５】
なお、目地カバー５を工場製作の段階で一体化する吊金具１としては、上記実施の形態で示したような形態のものに限らず、全体が略逆Ｔ字形状であればどのような形態の吊金具を用いてもよい。
【図面の簡単な説明】
【００１６】
【図１】本発明に係る目地カバー付き天井工法で施工された天井部の仕上がり状態を示す要部の断面図である。
【図２】本発明工法に用いる目地カバーと吊金具とを工場製作の段階で一体化する状態の説明図である。
【図３】従来の目地カバー付き天井工法で施工された天井部の仕上がり状態を示す要部の断面図である。
【符号の説明】
【００１７】
１  天井下地用吊金具
１ａ  バネル受け部
２  天井パネル
５  目地カバー
５ａ  折返し係合部
６  クッション性シール材
７  断熱層
【図１】
2008025109.tif 000003
【図２】
2008025109.tif 000004
【図３】
2008025109.tif 000005